(57)【要約】【課題】平面表示型ディスプレイの大きさや形状及び搭載部品の影響を受けずに簡単に基準平面にディスプレイ表示面を配置し、指定あるいは任意の位置での特性測定が可能な平面表示型ディスプレイの基準平面設定方法及び視野角測定方法を提供すること。【解決手段】基準面中心の垂直方向揺動軸１６と、垂直方向揺動軸１６に直交した基準面上の水平方向揺動軸２０と、を設け、表示表面１０２から離間している距離測定器２２により表示表面１０２の任意の３点の距離を測定し、各点の距離からあおり角を算出し、垂直方向揺動軸１６及び水平方向揺動軸２０周りに平面表示型ディスプレイ１００を揺動して基準面に近づけ、３点の距離の再測定から、垂直方向揺動軸１６及び水平方向揺動軸２０周りに平面表示型ディスプレイ１００を再揺動までを繰り返して平面表示型ディスプレイ１００を基準面に配置させる平面表示型ディスプレイの基準平面設定方法。【選択図】図１
2007271350.tif 000002
【特許請求の範囲】
【請求項１】
平面表示型ディスプレイを基準平面へ配置させる平面表示型ディスプレイの基準平面設定方法であって、
前記基準面の中央部を通る垂直方向揺動軸を設定し、
前記垂直方向揺動軸に直交する水平方向揺動軸を前記基準面の中央部に設定し、
前記ディスプレイを前記基準面近傍で基準平面設定用保持手段で保持し、
前記ディスプレイの表示表面から任意の距離離間している距離測定器により該ディスプレイの表示表面の任意の３点の距離を測定し、
前記各点の距離からあおり角及び前記ディスプレイと前記基準面との距離を算出し、
前記保持手段を移動して前記基準面との距離を縮め、
前記垂直方向揺動軸と前記水平方向揺動軸との交点を中心に前記垂直方向揺動軸及び前記水平方向揺動軸周りに前記ディスプレイを揺動して基準面との平行に近づけ、
前記３点の距離の再測定から、前記垂直方向揺動軸及び前記水平方向揺動軸周りの前記ディスプレイの再揺動までを繰り返して該ディスプレイを前記基準面に配置させる
平面表示型ディスプレイの基準平面設定方法。
【請求項２】
平面表示型ディスプレイの視野角測定方法であって、
前記基準面の中央部を通る垂直方向揺動軸を設定し、
前記垂直方向揺動軸に直交する水平方向揺動軸を前記基準面の中央部に設定し、
前記ディスプレイを前記基準面近傍で基準平面設定用保持手段で保持し、
前記ディスプレイの表示表面から任意の距離離間している距離測定器により該ディスプレイの表示表面の任意の３点の距離を測定し、
前記各点の距離からあおり角及び前記ディスプレイと前記基準面との距離を算出し、
前記保持手段を移動して前記基準面との距離を縮め、
前記垂直方向揺動軸と前記水平方向揺動軸との交点を中心に前記垂直方向揺動軸及び前記水平方向揺動軸周りに前記ディスプレイを揺動して基準面との平行に近づけ、
前記３点の距離の再測定から、前記垂直方向揺動軸及び前記水平方向揺動軸周りの前記ディスプレイの再揺動までを繰り返して該ディスプレイを前記基準面に配置し、
前記距離測定器を視野角観察手段に替え、前記垂直方向揺動軸及び前記水平方向揺動軸周りに前記ディスプレイを揺動して視野角を調整特定する
平面表示型ディスプレイの視野角測定方法。
【発明の詳細な説明】
【技術分野】
【０００１】
本発明は、平面表示型ディスプレイの特性を計測するための平面表示型ディスプレイの基準平面設定方法及び視野角測定方法に関する。
【背景技術】
【０００２】
平面表示型ディスプレイの特性を計測する方法として、ディスプレイを測定台に載置し、このディスプレイの表示面を撮像する撮像手段を用い、測定台または撮像手段を三次元方向に移動させるとともに、測定台または撮像手段を回転させながら、表示手段により撮像手段の出力を表示するようにしたものがある（例えば、特許文献１参照）。
【０００３】
このような計測方法においては、小型の裸のディスプレイであれば測定台に載置することはできるものの、近年開発が進んでいる大型（１００ｋｇを越えるものもある）のディスプレイを測定台に寝かせて載置して測定することは、平面性の維持や、撮像手段との距離がある程度必要である事などから、困難を伴う。
【０００４】
また、平面表示型ディスプレイが出荷形態である場合、裏面に各種電気部品などが既に搭載されており、それによって形状が複雑となり、測定台に載せた際に、傾斜等が生じて基準平面の設定が困難で、つまり、測定も当然困難となる。特に、液晶ディスプレイの視野角特性の測定の場合、撮像手段と液晶ディスプレイ表面との角度を正確に設定しなければならず、しかも、それを角度を変えて複数回実行する必要があるが、液晶ディスプレイの基準位置設定ができないと、撮像手段の位置設定は不可能となってしまう。
【０００５】
このように製品状態となっているディスプレイの特性計測が必要な平面表示型ディスプレイとしては、液晶だけでなく、プラズマディスプレイやプロジェクションディスプレイなどがある。
しかも、これらの測定精度の向上の要求は高まる一方であり、基準となるわずかな位置・角度の合わせのずれが、測定角度が大きい場合に大きなずれとなる。従って、大型のディスプレイでは、ディスプレイ上に鏡を載せ、その反射により面出しをする手動の測定を余儀なくされているが、大きな労力と時間を必要とし、検査の大きな障害となっている。
【０００６】
【特許文献１】特開平７−３５６４５号公報
【発明の開示】
【発明が解決しようとする課題】
【０００７】
本発明は、上記問題点を鑑みなされたもので、その課題としては、平面表示型ディスプレイの大きさや形状及び搭載部品の影響を受けずに自動的に簡単に認識することができるとともに指定あるいは任意の位置での特性測定が可能な平面表示型ディスプレイの基準平面設定方法及び視野角測定方法を提供することにある。
【課題を解決するための手段】
【０００８】
本発明に係る上記課題は、下記構成により達成される。
（１）平面表示型ディスプレイを基準平面へ配置させる平面表示型ディスプレイの基準平面設定方法であって、前記基準面の中央部を通る垂直方向揺動軸を設定し、前記垂直方向揺動軸に直交する水平方向揺動軸を前記基準面の中央部に設定し、前記ディスプレイを前記基準面近傍で基準平面設定用保持手段で保持し、前記ディスプレイの表示表面から任意の距離離間している距離測定器により該ディスプレイの表示表面の任意の３点の距離を測定し、前記各点の距離からあおり角及び前記ディスプレイと前記基準面との距離を算出し、前記保持手段を移動して前記基準面との距離を縮め、前記垂直方向揺動軸と前記水平方向揺動軸との交点を中心に前記垂直方向揺動軸及び前記水平方向揺動軸周りに前記ディスプレイを揺動して基準面との平行に近づけ、前記３点の距離の再測定から、前記垂直方向揺動軸及び前記水平方向揺動軸周りの前記ディスプレイの再揺動までを繰り返して該ディスプレイを前記基準面に配置させる平面表示型ディスプレイの基準平面設定方法。
【０００９】
このように、基準面上に垂直方向揺動軸が設けられ、垂直方向揺動軸に直交して基準面上に水平方向揺動軸が設けられ、その基準面近くに平面表示型ディスプレイを配置して、距離測定器によりディスプレイ表示表面の任意の３点の測定距離からあおり角及び基準面との距離が算出される。そして、垂直方向揺動軸及び水平方向揺動軸周りにディスプレイを揺動し、且つ、ディスプレイを基準面から離れている距離分移動して基準面に近づけ、３点の距離の再測定から、垂直方向揺動軸及び水平方向揺動軸周りにディスプレイの再揺動までを繰り返すことで、ディスプレイが基準面に配置される。これにより、大型の平面表示型ディスプレイであっても容易に測定することができるとともに形状や搭載部品の影響を受けることなく測定を行うことができる。また、自動的に簡単に認識することができるとともに指定あるいは任意の位置での特性測定が可能となる。
【００１０】
（２）平面表示型ディスプレイの視野角測定方法であって、前記基準面の中央部を通る垂直方向揺動軸を設定し、前記垂直方向揺動軸に直交する水平方向揺動軸を前記基準面の中央部に設定し、前記ディスプレイを前記基準面近傍で基準平面設定用保持手段で保持し、前記ディスプレイの表示表面から任意の距離離間している距離測定器により該ディスプレイの表示表面の任意の３点の距離を測定し、前記各点の距離からあおり角及び前記ディスプレイと前記基準面との距離を算出し、前記保持手段を移動して前記基準面との距離を縮め、前記垂直方向揺動軸と前記水平方向揺動軸との交点を中心に前記垂直方向揺動軸及び前記水平方向揺動軸周りに前記ディスプレイを揺動して基準面との平行に近づけ、前記３点の距離の再測定から、前記垂直方向揺動軸及び前記水平方向揺動軸周りの前記ディスプレイの再揺動までを繰り返して該ディスプレイを前記基準面に配置し、前記距離測定器を視野角観察手段に替え、前記垂直方向揺動軸及び前記水平方向揺動軸周りに前記ディスプレイを揺動して視野角を調整特定する平面表示型ディスプレイの視野角測定方法。
【００１１】
このように、平面表示型ディスプレイと距離測定器間の３点の距離の再測定から、垂直方向揺動軸及び水平方向揺動軸周りの平面表示型ディスプレイの再揺動までを繰り返すことで、ディスプレイを基準面に配置し、距離測定器を視野角観察手段に替えると、垂直方向揺動軸及び水平方向揺動軸周りにディスプレイを揺動するだけで、視野角観察手段を移動することなく視野角が調整特定される。これにより、大型の平面表示型ディスプレイであっても容易に測定することができるとともに形状や搭載部品の影響を受けることなく測定を行うことができる。また、自動的に簡単に認識することができるとともに指定あるいは任意の位置での特性測定が可能となる。
【発明の効果】
【００１２】
本発明によって、平面表示型ディスプレイの大きさや形状及び搭載部品の影響を受けずに自動的に簡単に認識することができるとともに指定あるいは任意の位置での特性測定が可能な平面表示型ディスプレイの基準平面設定方法及び視野角測定方法を提供できる。
【発明を実施するための最良の形態】
【００１３】
以下、本発明の実施形態について図面を参照して説明する。
図１は、本発明の実施形態による平面表示型ディスプレイの基準平面設定方法に用いられる特性測定装置の外観斜視図である。
【００１４】
図において、平面表示型ディスプレイ１００の基準平面測定方法に用いられる特性測定装置（ディスプレイ計測用ステージとも言う。）１０は、基台１２上に、垂直方向揺動軸１６を備えた垂直軸方向揺動手段１４と、水平方向揺動軸２０を備えた水平軸方向揺動手段１８と、距離測定器２２と、距離測定器移動手段２４と、が組み付けられている。垂直方向揺動軸１６と水平方向揺動軸２０とにより基準面を形成している。
【００１５】
垂直軸方向揺動手段１４では、後述の水平軸方向揺動手段１８の一部であるアーム２６の先端部に垂直方向揺動軸１６が組み付けられており、この垂直方向揺動軸１６の上端部に支持板２８が回動自在かつ任意の位置を保持可能に軸支されており、この支持板２８にはディスプレイ支持軸３０が固定され、このディスプレイ支持軸３０に平面表示型ディスプレイ１００を保持する保持手段であるクランプ３２が組み付けられている。
【００１６】
垂直方向揺動軸１６は、不図示のステップモータ等を内蔵した駆動手段に結合される構成とすることもでき、この駆動手段が同じく不図示の制御回路により、支持板２８を自動回動させる構成も可能である。
【００１７】
ディスプレイ支持軸３０は、少なくともクランプ３２を含む平面表示型ディスプレイ１００の厚みがカバーされる程度に予め定められた距離を垂直方向揺動軸１６からクランク上にずらされて支持板２８に固定され、支持板２８とともに回動する。
【００１８】
クランプ３２は、平面表示型ディスプレイ１００を把持するコ字形状に形成されており、ディスプレイ支持軸３０の軸方向に移動自在に組み付けられている。図示していないが、クランプ３２は、平面表示型ディスプレイ１００の外形に応じて拡張可能であり、更に、ディスプレイ支持軸３０との距離を変更可能となっている。そして、平面表示型ディスプレイ１００の裏面に空間を置いて平面表示型ディスプレイ１００を把持しているために、裏面の外形が異なる平面表示型ディスプレイ１００であっても確実に把持できるととともに出荷形態である平面表示型ディスプレイ１００の裏面に各種電気部品が搭載されていたとしても、その電気部品の影響を受けずに、平面表示型ディスプレイ１００の表示表面（図２に示す。）１０２に接して垂直方向揺動軸１６の中心線を配置することができる。
【００１９】
また、クランプ３２は、ディスプレイ支持軸３０の軸方向に移動自在に組み付けられているために、平面表示型ディスプレイ１００が大型であったとしても、その外形（特に高さ方向）に応じて移動されることで、多種の平面表示型ディスプレイ１００を把持することができる。
【００２０】
このように垂直軸方向揺動手段１４は、垂直方向揺動軸１６が回動されることで、支持板２８を介してディスプレイ支持軸３０が回動され、クランプ３２に把持されている平面表示型ディスプレイ１００がその表示表面１０２に接する垂直方向揺動軸１６の中心線周りであるα方向に回動させる。
【００２１】
一方、水平軸方向揺動手段１８では、枠状の基台１２の側部に支柱部２５が配置されており、支柱部２５の上部位置に配置されている水平方向揺動軸２０にはＬ字形状に形成された板部材であるアーム２６の基端部が回動自在かつ任意の位置を保持可能に軸支されている。水平方向揺動軸２０の中心線は、垂直方向揺動軸１６の中心線に直交して配置されており、平面表示型ディスプレイ１００のほぼ中央で表示表面１０２に接する。また、水平方向揺動軸２０は、不図示のステップモータ等を内蔵した駆動手段に結合する構成とすることができ、この駆動手段が同じく不図示の制御回路によりアーム２６を回動させる構成とすることができる。
【００２２】
水平軸方向揺動手段１８では、水平方向揺動軸２０を中心にアーム２６が回動され、垂直軸方向揺動手段１４全体を介して平面表示型ディスプレイ１００がその表示表面１０２上の水平方向揺動軸２０の中心線周りのβ方向に回動させる。
【００２３】
距離測定器移動手段２４は、第１水平方向移動部３６と、第２水平方向移動部３８と、垂直方向移動部４０と、を備え、距離測定器２２が載置された支持板３４を保持している。距離測定器２２は、距離計センサとして機能するレーザー光照射手段を備え、支持板３４の上面に固定されている。距離測定器２２は、平面表示型ディスプレイ１００にレーザー光を照射し、反射してきたレーザー光に基づいて距離を測定する。
【００２４】
支持板３４は垂直方向移動部４０のタワー５２に回転自在に収容されたボールねじ５４などの構成により図中のＺ方向（基台１２に対して垂直方向）に移動可能に支持されている。このタワー５２はその基部を第２水平方向移動部３８の枠体４６内でボールねじなどの構成により図中のＹ方向（水平方向揺動軸２０と同一方向）に移動可能に支持されている。枠体４６は基台１２内で第１水平方向移動部３６のボールねじなどの構成により図中のＸ方向（Ｙ方向直交方向）に移動可能に支持されている。
【００２５】
本実施形態では、距離測定器移動手段２４の第１水平方向移動部３６は、ボールねじ構成を採用しており、基台１２に回転自在に支持されているボールねじ４２と、ボールねじ４２に螺挿されているナット部材４４とからなり、ナット部材４４が第２水平方向移動部材３８の枠体４６に固定されている。第１水平方向移動部３６は、ボールねじ４２が回転されることで、ナット部材４４が枠体４６とともに図中のＸ方向に移動される。
【００２６】
第２水平方向移動部３８についてもボールねじ構成を採用しており、枠体４６に回転自在に収容されたボールねじ４８と、ボールねじ４８に螺挿されているナット部材５０とからなり、ナット部材５０がタワー５２に固定されている。第２水平方向移動部３８は、ボールねじ４８が、第１水平方向移動部３６のボールねじ４２に水平方向で直交配置されているために、ボールねじ４８が回転されることで、ナット部材５０がタワー５２とともに図中のＹ方向に移動される。
【００２７】
更に、垂直方向移動部４０についてもボールねじ構成を採用しており、タワー５２に回転自在に収容されたボールねじ５４と、ボールねじ５４に螺挿されていてナット部材として機能する支持板３４とからなる。水平方向移動部４０は、ボールねじ５４が、第１水平方向移動部３６のボールねじ４２及び第２水平方向移動部３８のボールねじ４８に垂直方向で直交配置され、ボールねじ５４が回転されることで、支持板３４が図中のＺ方向に移動される。
なお、上記第１水平方向移動部３６、第２水平方向移動部３８、垂直方向移動部４０のいずれも制御回路に電気的に接続されている不図示の駆動源に結合される構成とすることができる。この構成により、コンピュータ制御を導入して細かな調整が可能となる。
【００２８】
次に本実施形態に関し、図を用いて特性測定装置１０による本発明の平面表示型ディスプレイの基準平面設定方法及び視野角測定方法を説明する。
図２は、特性測定装置１０における平面表示型ディスプレイの表示面と距離計測器との関係を示す要部概略斜視図である。
【００２９】
図２に示すように、特性測定装置１０は、平面表示型ディスプレイ１００がクランプ３２に挟持固定される。水平方向揺動軸２０の中心線と垂直方向揺動軸１６の中心線とが含まれる理想の平面と距離計測器２２との距離は予め設定されており、第１水平方向移動部３６のボールねじ４２が回転されてナット部材４４を介してＸ方向へタワー５２を移動させ、距離計測器２２についてはこの予め設定されたＸ方向位置に配置することができる。
【００３０】
距離計測器２２が平面表示型ディスプレイ１００から適度な位置に配置されたところで、平面表示型ディスプレイ１００の外形形状の測定が開始される。まず、垂直方向移動部４０のボールねじ５４が回転されることで、距離測定器２２が下方へ移動される。このとき、距離測定器２２のレーザー光が、平面表示型ディスプレイ１００の表示表面１０２を越えて下側の外枠縁部を照射すると、反射してきたレーザー光の輝度に変動が生ずることで、下側の外枠の境界線位置が検出される。
【００３１】
そして、その位置から、第２水平方向移動部３８のボールねじ４８が回転されることで、距離測定器２２が左方へ水平移動されて平面表示型ディスプレイ１００の左側の外枠の境界線位置が検出され、続いて、距離測定器２２が右方へ水平移動されて平面表示型ディスプレイ１００の右側の外枠の境界線位置が検出される。
【００３２】
次に、垂直方向移動部４０のボールねじ５４が回転されることで、距離測定器２２が上方へ垂直移動され、平面表示型ディスプレイ１００の上側の外枠の境界線位置が検出される。これにより、底辺の長さと、高さと、が測定されることで、平面表示型ディスプレイ１００の外形寸法が算出される。なお、距離測定器２２は、水平移動される際に上方及び下方へ寸動されて外枠の境界線位置を検出するとともに、垂直移動される際に左方及び右方へ寸動されて外枠の境界線位置を検出する。これにより、平面表示型ディスプレイ１００が円形や楕円形である際に、その外周を複数の点でプロットし、そのデータを演算することで平面表示型ディスプレイ１００の外形寸法を算出することができる。
【００３３】
特性測定装置１０は、平面表示型ディスプレイ１００の外形寸法を算出した後に、平面表示型ディスプレイ１００を起動しないままで、距離測定器移動手段２４により距離測定器２２を、Ｙ方向及びＺ方向に移動させることで、平面表示型ディスプレイ１００の表示表面１０２の任意のＡ点、Ｂ点、Ｃ点の３点までの距離計測を行う。各Ａ，Ｂ，Ｃ点からの距離データは平面表示型ディスプレイ１００における表示表面１０２の基準面からのずれ量に相当するために、制御回路は、各Ａ，Ｂ，Ｃ点の距離の偏差からあおり角及び基準面と平面表示型ディスプレイとの距離Δｘを算出する。
【００３４】
あおり角及び基準面と平面表示型ディスプレイとの距離の算出には、以下の平面の方程式が使用される。
３点Ａ（ｘ１，ｙ１，ｚ１），Ｂ（ｘ２，ｙ２，ｚ２），Ｃ（ｘ３，ｙ３，ｚ３）を通過する平面の方程式  ｌｘ＋ｍｙ＋ｎｚ＋ｄ＝０
は、
ｌ＝（（ｙ２−ｙ１）×（ｚ３−ｚ１））−（（ｚ２−ｚ１）×（ｙ３−ｙ１））
ｍ＝（（ｚ２−ｚ１）×（ｘ３−ｘ１））−（（ｘ２−ｘ１）×（ｚ３−ｚ１））
ｎ＝（（ｘ２−ｘ１）×（ｙ３−ｙ１））−（（ｙ２−ｙ１）×（ｘ３−ｘ１））
ｄ＝０−（（ｘ１×ｌ）＋（ｙ１×ｍ）＋（ｚ１×ｎ））
で求められ、この基準平面の法線ベクトル（ｌ，ｍ，ｎ）とｘｙｚ座標とのなす角ΔαとΔβは
Δα＝ｔａｎ−１（ｍ／ｌ）
Δβ＝ｃｏｓ−１（ｎ／√（ｌ２＋ｍ２＋ｎ２））
【００３５】
このように、あおり角が決定したところで、距離測定器２２よりレーザー光を平面表示型ディスプレイ１００に照射しながら、クランプ３２によりディスプレイ支持軸３０との距離を変え、平面表示型ディスプレイ１００を垂直軸方向揺動手段１４によりα方向に移動させるとともに水平軸方向揺動手段１８によりβ方向に移動させる。そして、各Ａ，Ｂ，Ｃ点からの距離測定を再度実行し、その都度、あおり角との算出が行われる。
【００３６】
そして、特性測定装置１０は、算出されたあおり角に基づいて、垂直軸方向揺動手段１４及び水平軸方向揺動手段１８を介して平面表示型ディスプレイ１００を揺動することで補正動作を繰り返し行って、各Ａ，Ｂ，Ｃ点からの距離測定値を同じにし、平面表示型ディスプレイ１００の表示表面１０２と距離測定器２２のＹ−Ｚ平面の距離を一定とする。
【００３７】
前述のように各Ａ，Ｂ，Ｃ点からの距離測定値を同じに調整しつつ、最終的には、水平方向揺動軸２０の中心線と垂直方向揺動軸１６の中心線とが含まれる理想の平面と距離計測器２２との距離に調節し、平面表示型ディスプレイ１００の表示表面１０２を、水平方向揺動軸２０の中心線と垂直方向揺動軸１６の中心線とが含まれる理想の基準面へ一致させる。
【００３８】
このように、基準面の中心に垂直方向揺動軸１６が設けられ、垂直方向揺動軸１６に直交する水平方向揺動軸２０が基準面に設けられ、距離測定器２２により表示表面１０２の任意の３点の測定距離からあおり角と平面表示型ディスプレイと基準面との距離が算出される。そして、垂直方向揺動軸１６及び水平方向揺動軸２０周りに平面表示型ディスプレイ１００を揺動することで基準面に近づけ、３点の距離の再測定から、垂直方向揺動軸１６及び水平方向揺動軸２０周りに平面表示型ディスプレイ１００を再揺動までを繰り返すことで、平面表示型ディスプレイ１００が基準面に配置される。これにより、大型の平面表示型ディスプレイであっても容易に測定することができるとともに形状や搭載部品の影響を受けることなく測定を行うことができる。また、自動的に簡単に認識することができるとともに指定あるいは任意の位置での特性測定が可能となる。
【００３９】
図３は特性測定装置の他の構成を示す斜め正面から視た外観斜視図である。
図３に示すように、ここでは、あおり角の算出を行って平面表示型ディスプレイ１００を基準面に配置した後に、図１に示した距離測定器２２を視野角観察手段６２に替えて視野角測定を実施する。視野角観察手段６２は、例えば色彩輝度計や二次元色彩輝度計であって、起動された平面表示型ディスプレイ１００の画像に色味変化等の障害が出る境界範囲を観察することで平面表示型ディスプレイ１００の有効視野角を測定するのに用いられる。この場合、平面表示型ディスプレイ１００を基準面に配置した後に、垂直軸方向揺動手段１４及び水平軸方向揺動手段１６を介して平面表示型ディスプレイ１００を揺動することで有効視野角を順次変更することができ、視野角観察手段６２を移動することなく、視野角特性を観察できる。
【００４０】
このような構成にすることで、基準面の中心に垂直方向揺動軸１６が設けられ、垂直方向揺動軸１６に直交する水平方向揺動軸２０が基準面に設けられ、距離測定器２２により表示表面１０２の任意の３点の測定距離からあおり角と平面表示型ディスプレイと基準面との距離が算出される。そして、垂直方向揺動軸１６及び水平方向揺動軸２０周りに平面表示型ディスプレイ１００を揺動することで基準面に近づけ、３点の距離の再測定から、垂直方向揺動軸１６及び水平方向揺動軸２０周りに平面表示型ディスプレイ１００を再揺動までを繰り返して平面表示型ディスプレイ１００を基準面に配置してから、視野角観察手段６２を用い、垂直方向揺動軸１６及び水平方向揺動軸２０周りに平面表示型ディスプレイ１００を揺動することで有効視野角が調整特定される。これにより、大型の平面表示型ディスプレイであっても容易に測定することができるとともに形状や搭載部品の影響を受けることなく測定を行うことができる。また、自動的に簡単に認識することができるとともに指定あるいは任意の位置での特性測定が可能となる。
【図面の簡単な説明】
【００４１】
【図１】本発明の実施形態による平面表示型ディスプレイの基準平面設定方法に用いられる特性測定装置の概略斜視図である。
【図２】図１に示した特性測定装置における平面表示型ディスプレイの表示面と距離計測器との関係を示す要部外観斜視図である。
【図３】特性測定装置の他の構成を示す斜め正面から視た外観斜視図である。
【符号の説明】
【００４２】
１０  特性測定装置（ディスプレイ計測用ステージ）
１６  垂直方向揺動軸
２０  水平方向揺動軸
２２  距離測定器
６２  視野角観察手段
１００  平面表示型ディスプレイ
１０２  表示表面
【図１】
2007271350.tif 000003
【図２】
2007271350.tif 000004
【図３】
2007271350.tif 000005